(57)【要約】      （修正有）【課題】分岐漏電ブレーカの負荷側中性極Ｎとアース間の漏洩電流箇所の検出装置を提供する。【解決手段】洩れ電流箇所に係わる測定において、ＴＴ接地方式で供給されている分電盤Ａの分岐漏電ブレーカ６と電源側のネオン電流制限抵抗と回路表示手段と、分岐漏電ブレーカ６負荷側回路９とＩＣタグ付接地極コンセント１０に接続された３線式測定対象体Ｘ２Ｌの洩れ電流箇所を測定の手順は以下となる。分岐漏電ブレーカ６を手動で遮断し、電源側のネオン電流制限抵抗と回路表示手段を用いて、分岐漏電ブレーカ６負荷側回路９に接続の中性線Ｎと接地線間および電源線Ｐと接地線間の洩れ電流状態を回路表示点灯させ、分電盤Ａの接地極線Ｂに設けた測定用端子Ｃと測定機器Ｚを備え、洩れ電流を測定し確認出来る。従って、洩れ電流状態に係わる測定と回路の改修依頼が行ないやすくなる。【選択図】図２
0003169611.tif 000002
【実用新案登録請求の範囲】
【請求項１】
ＴＴ接地方式で供給している、分岐漏電ブレーカの負荷側回路及びICタグ付接地極コンセントと、ICタグ付接地極コンセントに接続の２線式機器と電源コード及び水中ポンプと非接地機器において、分岐漏電ブレーカの負荷側ホット相Ｐと中性極Ｎとアース間の洩れ電流検出手段であって、分岐漏電ブレーカの負荷側ホット相Ｐとアース間における洩れ電流が所定値を越えて流れたとき、分岐漏電ブレーカは遮断手段とし、分岐漏電ブレーカのネオン電流制限手段を、分岐漏電ブレーカの負荷側中性極Ｎとアース間における漏洩電流供給手段とし、分岐漏電ブレーカの負荷側中性極Ｎとアース間における回路表示点灯手段と、回路端末に常備灯点検装置と、を備えた、分岐漏電ブレーカの負荷側中性極Ｎとアース間における漏洩電流検出箇所の点検システム。
【請求項２】
ＴＴ接地方式で供給している、分岐漏電ブレーカの負荷側回路及びICタグ付接地極コンセントと、ICタグ付接地極コンセントに接続の２線式機器と電源コード及び水中ポンプと非接地機器において、分岐漏電ブレーカの負荷側ホット相Ｐと中性極Ｎとアース間の洩れ電流検出手段と、点検作業者が非接触型の測定器と点検測定手段であって、分岐漏電ブレーカの負荷側中性極Ｎとアース間における漏洩電流検出表示手段とブザーとで確認手段とし、点検作業者の安全を図り、分岐漏電ブレーカの負荷側中性極Ｎとアース間における漏洩電流検出表示箇所の除去手段とし、分岐漏電ブレーカは負荷側中性極Ｎとアース間におけるネオン電流制限手段と回路表示消灯手段とし、分岐漏電ブレーカの負荷側中性極Ｎとアース間における分岐漏電ブレーカの再投入手段と、を備えた、分岐漏電ブレーカの負荷側中性極Ｎとアース間における漏洩電流検出箇所の点検システム。
【考案の詳細な説明】
【技術分野】
【０００１】
本考案は、ＴＴ接地方式で供給している、分岐漏電ブレーカの負荷側ICタグ付接地極コンセントに接続の２線式機器と電源コード及び水中ポンプと非接地機器において、分岐漏電ブレーカの負荷側中性極Ｎとアース間における漏電箇所の検出手段であって、点検作業者が、非接触型の測定器で測定点検し、漏洩電流検出表示とブザーとで確認手段とし、点検作業者の安全を図り、ICタグ付接地極コンセントに接続の入力側プラグを取り外す事で、分岐漏電ブレーカの負荷側中性極Ｎとアース間におけるネオン電流制限手段と回路表示消灯手段とを備えた、分岐漏電ブレーカの負荷側中性極Ｎとアース間における漏電検出箇所の点検システムに関する。
【背景技術】
【０００２】
従来、例えば「電気用品安全法における電気用品の技術上の基準を定める省令の取扱い細則」や「ＩＥＣ６０３３５−１：１９９４の国際標準規格」では、電気用品(測定対象体)に接続される２本の交流電源線(以下、「電源線」ともいう)のうちいずれか一本と電気用品の外装(露出充電部)との間の漏れ電流を測定する旨が指示されている、この種の漏れ電流を測定可能な漏れ電流測定装置がある。(例えば、特許文献１参照)
【先行技術文献】
【特許文献】
【０００３】
【特許文献１】特開２０１０‐９１５８１
【考案の概要】
【考案が解決しようとする課題】
【０００４】
本考案は、特許文献１記載のＴＴ接地方式で供給している、分岐漏電ブレーカの負荷側中性極Ｎとアース間における負荷側回路とICタグ付接地極コンセントは家屋内装置とし、家屋外装置には、分岐漏電ブレーカの負荷側ICタグ付接地極コンセントに接続の２線式機器と電源コード及び水中ポンプと非接地機器において、分岐漏電ブレーカの負荷側ホット相Ｐ側とアース間における洩れ電流検出は、分岐漏電ブレーカは遮断するが、水中ポンプと非接地機器のホット相Ｐ側のスイッチは保持しない機器がある、また、分岐漏電ブレーカの負荷側機器及び電源コードにおいて、破損による中性相Ｎと接地極Ｅ間における洩れ電流の検出は、分岐漏電ブレーカも検出しない。(公知) 
【０００５】
ＴＴ接地方式で供給している、漏電表示機能付き分電盤と、接地極線を主とした配電線電路の負荷側回路に接続された、接地線Ｇと中性相線Ｎ間における洩れ電流状態を測定する装置において、特許文献１記載の測定手段は、操作釦(1)で主幹ブレーカを開放とし、操作釦(2)で１次送り回路中性相Ｎ側スイッチと電圧Ｌ側切換スイッチは開放とし、操作釦(3)で放電スイッチを投入及び開放で中性相幹線Ｅ３の帯電を放電する測定手段とし、操作釦(4)で電圧Ｌ側切換スイッチを投入し、中性相幹線Ｅ３に電圧制限を印加する印加手段とし、回路表示手段は点灯し、負荷側回路に接続された接地線Ｇと中性相線Ｎ間及び接地線Ｇと電源線Ｌ間における漏電電流測定手段と回路表示点灯手段とし、漏電表示機能付き分電盤の接地極線に設けた測定用端子において、測定機器を用いた漏電電流状態を測定する装置である。
【０００６】
しかしながら上記は、ＴＴ接地方式で供給している、分電盤の分岐漏電ブレーカが遮断状態を確認後に、他の回路に接続された機器等の保護対策を行ない、その後に操作釦で主幹ブレーカを開放し、分電盤の接地極線に設けた測定用端子において、漏電電流状態を測定と成っているが、分岐漏電ブレーカの負荷側中性極Ｎとアース間におけるICタグ付接地極コンセントに接続の２線式機器と電源コード及び水中ポンプと非接地機器は、分電盤の接地極線に設けた測定用端子においては、測定出来ないという課題がある。
【課題を解決するための手段】
【０００７】
本考案は、ＴＴ接地方式で供給している、分岐漏電ブレーカの負荷側中性極Ｎとアース間における漏電検出箇所の点検手段において、点検作業者が、非接触型の測定器で点検測定し、分岐漏電ブレーカの負荷側中性極Ｎとアース間における漏洩電流検出表示とブザーとで確認手段とし、点検作業者の安全を図り、分岐漏電ブレーカの負荷側中性極Ｎとアース間における漏洩電流検出除去手段とし、分岐漏電ブレーカの負荷側中性極Ｎとアース間におけるネオン電流制限手段と回路表示消灯手段と、を具備し、分岐漏電ブレーカの負荷側中性極Ｎとアース間における分岐漏電ブレーカの再投入手段とを備えた、分岐漏電ブレーカの負荷側中性極Ｎとアース間における漏洩電流検出箇所の点検システムとし、点検作業者の安全を図ることを解決すべき技術的課題とするものである。
【０００８】
上記課題を解決するための手段は、ＴＴ接地方式で供給している、漏電表示機能付き
分電盤と負荷側回路及びICタグ付接地極コンセントにおいては家屋内装置とし、家屋外装置には、分岐漏電ブレーカの負荷側ICタグ付接地極コンセントに接続の２線式機器と電源コード及び水中ポンプと非接地機器において、分岐漏電ブレーカの負荷側ホット相Ｐとアース間及び中性極Ｎとアース間における洩れ電流検出に対応し、分岐漏電ブレーカの負荷側ホット相Ｐ側とアース間において洩れ電流が所定値を越えて流れたとき、分岐漏電ブレーカは遮断動作手段とし、分岐漏電ブレーカのネオン電流制限手段で、分岐漏電ブレーカの負荷側中性極Ｎとアース間における漏洩電流の検出供給手段とし、分岐漏電ブレーカの負荷側中性極Ｎとアース間における回路表示手段と、回路端末に常備灯点検装置と、を備えた、分岐漏電ブレーカの負荷側中性極Ｎとアース間における漏洩電流検出箇所の点検システムである。
【０００９】
家屋外装置は、ＴＴ接地方式で供給している、分岐漏電ブレーカの負荷側の接地極付コンセントに接続の２線式機器と電源コード及び水中ポンプと非接地機器において、分岐漏電ブレーカの負荷側中性極Ｎとアース間における漏洩電流の検出箇所を、点検作業者が、非接触型の測定器を用いた点検測定手段であって、分岐漏電ブレーカの負荷側中性極Ｎとアース間における漏洩電流の検出表示手段とブザーとで確認手段とし、点検作業者の安全を図り、分岐漏電ブレーカの負荷側中性極Ｎとアース間における漏洩電流の検出表示箇所の除去手段とし、分岐漏電ブレーカの負荷側中性極Ｎとアース間におけるネオン電流制限手段と回路表示消灯手段とし、分岐漏電ブレーカは負荷側中性極Ｎとアース間における分岐漏電ブレーカの再投入手段と、を備えた、分岐漏電ブレーカの負荷側中性極Ｎとアース間における漏洩電流検出箇所の点検システムである。
【考案の効果】
【００１０】
本考案に係るＴＴ接地方式で供給している、分岐漏電ブレーカの負荷側中性極Ｎとアース間における漏洩電流検出箇所の点検システムにおいて、点検作業者が、非接触型の測定器で点検測定し、分岐漏電ブレーカの負荷側中性極Ｎとアース間における漏洩電流検出表示手段とブザーとで確認手段とし、点検作業者の安全を図り、分岐漏電ブレーカの負荷側中性極Ｎとアース間における点検箇所の除去手段とし、分岐漏電ブレーカの負荷側中性極Ｎとアース間におけるネオン電流制限手段と回路表示消灯手段と、を具備し、分岐漏電ブレーカは負荷側中性極Ｎとアース間における分岐漏電ブレーカの再投入手段とを備えた、分岐漏電ブレーカの負荷側中性極Ｎとアース間における漏洩電流検出箇所の点検装置とし、分岐漏電ブレーカの負荷側回路及び接続機器が漏電状態にある表示手段と非接触型の測定器で確認出来るので、点検作業者の安全を図ることができる。
【００１１】
なお、特許文献１記載のＴＴ接地方式で供給している、漏電表示機能付き分電盤と、分岐漏電ブレーカの負荷側回路とICタグ付接地極コンセントは家屋内装置とし、点検作業者は、他の回路に接続された機器等の保護対策を行ない、その後、操作釦(1)で主幹ブレーカを開放とし、操作釦(2)で１次送り回路中性相Ｎ側スイッチと電圧Ｌ側切換スイッチは開放とし、操作釦(3)で放電スイッチを投入及び開放で中性相幹線Ｅ３の帯電を放電する測定手段とし、操作釦(4)で電圧Ｌ側切換スイッチを投入し、中性相幹線Ｅ３に電圧制限を印加する印加手段とし、回路表示手段は点灯し、負荷側回路に接続された接地線Ｇと中性相線Ｎ間及び接地線Ｇと電源線Ｌ間における漏電電流測定手段と回路表示点灯手段とし、漏電表示機能付き分電盤の接地極線に設けた測定用端子において、測定機器を用いた漏電電流状態を測定とし、かつ、非接触型の測定器で点検する事で、家屋内における、分岐漏電ブレーカの負荷側漏洩回路と漏洩接続機器を非接触型の測定器で確認出来るので、点検作業者の安全を図りながら取り除く作業を行なうことができる。
【００１２】
また、ＴＴ接地方式で供給している、漏電表示機能付き分電盤と接地極線を主とした配電線電路において、分岐漏電ブレーカの負荷側回路とICタグ付接地極コンセントであって、分岐漏電ブレーカの負荷側中性極Ｎとアース間における回路表示点灯手段と、回路端末に常備灯点検装置と、非接触型の測定器を用いて、分岐漏電ブレーカの負荷側中性極Ｎとアース間における漏洩電流検出箇所と回路点検手段は非接触型の測定器で確認出来るので、通常の回路点検作業における点検作業者の安全を図った効果がある。
【図面の簡単な説明】
【００１３】
【図１】本考案の回路端末に常備灯点検装置で構成を示したブロック系統図である。
【図２】従来の実施例を示した配線系統図である。
【考案を実施するための形態】
【００１４】
図１に示すように、本考案の家屋外装置は、ＴＴ接地方式で供給している、分岐漏電ブレーカの負荷側ICタグ付接地極コンセントに接続の２線式機器と電源コード及び水中ポンプと非接地機器であって、分岐漏電ブレーカの負荷側ホット相Ｐとアース間及び中性極Ｎとアース間における洩れ電流検出に対応し、分岐漏電ブレーカの負荷側ホット相Ｐ側とアース間において洩れ電流が所定値を越えて流れたとき、分岐漏電ブレーカは遮断動作手段とし、分岐漏電ブレーカのネオン電流制限手段で、分岐漏電ブレーカの負荷側中性極Ｎとアース間における漏洩電流の検出供給手段とし、分岐漏電ブレーカの負荷側中性極Ｎとアース間における漏洩電流の検出箇所を、点検作業者が、非接触型の測定器を用いた点検測定手段であって、分岐漏電ブレーカの負荷側中性極Ｎとアース間における漏洩電流の検出表示手段とブザーとで確認手段とし、点検作業者の安全を図り、分岐漏電ブレーカの負荷側中性極Ｎとアース間における漏洩電流の検出表示箇所の除去手段とし、分岐漏電ブレーカの負荷側中性極Ｎとアース間におけるネオン電流制限手段と回路表示消灯手段とし、分岐漏電ブレーカは負荷側中性極Ｎとアース間における分岐漏電ブレーカの再投入手段とし、かつ、分岐漏電ブレーカの負荷側漏洩回路と漏洩接続機器を非接触型の測定器で確認出来るので、点検作業者の安全を図りながら取り除く作業を行なうことができる。
【００１５】
図２に示す家屋内装置は、ＴＴ接地方式で供給している、漏電表示機能付き分電盤の接地極線に設けられた測定用端子と１次送り回路に接続の充電機能付き電源装置と、分岐漏電ブレーカの負荷側回路とICタグ付接地極コンセントに接続の３線式機器における漏れ電流測定装置おいて、分電盤の分岐漏電ブレーカが遮断状態を確認後に、点検作業者は、
他の回路に接続された機器等の保護対策を行ない、その後、操作釦(1)で主幹ブレーカを
開放とし、操作釦(2)で１次送り回路中性相Ｎ側スイッチと電圧Ｌ側切換スイッチは開放とし、操作釦(3)で放電スイッチを投入及び開放で中性相幹線Ｅ３の帯電を放電する測定手段とし、操作釦(4)で電圧Ｌ側切換スイッチを投入し、中性相幹線Ｅ３に電圧制限を印加する印加手段とし、回路表示手段は点灯し、負荷側回路に接続された接地線Ｇと中性相線Ｎ間及び接地線Ｇと電源線Ｌ間における漏電電流測定手段と回路表示点灯手段とし、漏電表示機能付き分電盤の接地極線に設けた測定用端子において、測定機器を用いた漏電電流状態を測定し、かつ、非接触型の測定器で点検する事で、家屋内における、分岐漏電ブレーカの負荷側漏洩回路と漏洩接続機器を非接触型の測定器で確認出来るので、点検作業者の安全を図りながら取り除く作業を行なうことができる。
【符号の説明】
【００１６】
１  変圧器  
２  変圧器の接地線
３  電圧線
４  中性線
５  接地線
６  分電盤などの中継接続装置
７  分電盤側の接地線
８  ICタグ付接地極コンセント  
９  回路端末常備灯点検装置
１０  ２線式機器と電源コード
１１  水中ポンプと非接地機器
１２  非接触型の測定器
１３  分岐漏電ブレーカ
１４  ネオン電流制限手段
１５  回路表示点灯手段
【図１】
0003169611.tif 000003
【図２】
0003169611.tif 000004
【手続補正書】
【提出日】平成23年5月27日(2011.5.27)
【手続補正１】
【補正対象書類名】実用新案登録請求の範囲
【補正対象項目名】全文
【補正方法】変更
【補正の内容】
【実用新案登録請求の範囲】
【請求項１】
ＴＴ接地方式で供給されている分電盤(A)の分岐漏電ブレーカ(6)と電源Ｌ側のネオン電流制限抵抗と回路表示(6NL)手段と、負荷側回路(9)とICタグ付接地極コンセント(10)に接続の２線式測定対象体(X1N)と非接触型の測定器(Y)を備え、分岐漏電ブレーカ(6)負荷側回路(9)の電源線Ｐと接地線間および中性線Ｎと接地線間の洩れ電流回路を検出の際には、分岐漏電ブレーカ(6)負荷側回路(9)の電源線Ｐと接地線間の洩れ電流が所定値を越えて流れたとき検出手段で遮断し、電源Ｌ側のネオン電流制限抵抗と回路表示(6NL)手段を用いて、分岐漏電ブレーカ(6)負荷側回路(9)の中性線Ｎと接地線間および負荷側回路(9)の電源線Ｐと接地線間の洩れ電流を回路表示(6NL)点灯させ、洩れ電流回路を表示し開放確認を備えた洩れ電流回路の検出装置と、負荷側回路(9)とICタグ付接地極コンセント(10)に接続された２線式測定対象体(X1N)の洩れ電流箇所を検出の際には、分岐漏電ブレーカ(6)を手動で遮断し、電源Ｌ側のネオン電流制限抵抗と回路表示(6NL)手段を用いて、分岐漏電ブレーカ(6)負荷側回路(9)に接続の中性線Ｎと接地線間および電源線Ｐと接地線間の洩れ電流状態を回路表示(6NL)点灯させる、非接触型の測定器(Y)を備えていることを特徴とした洩れ電流箇所の検出装置。
【請求項２】
ＴＴ接地方式で供給されている分電盤(A)の手動開路リミッター(1)と、一次送り回路(2)とＤＣ操作装置(3)で開路が可能な主幹ブレーカ(5)とネオン電流制限抵抗と回路表示(NL)手段と、分岐漏電ブレーカ(6)の回路表示Ｌ側(7L)と回路表示Ｎ側(8N)と、分岐漏電ブレーカ(6)負荷側回路(9)とICタグ付接地極コンセント(10)に接続の３線式測定対象体(X2L)と分電盤(A)の接地極線(B)に設けられた測定用端子(C)と測定機器(Z)を備え、分岐漏電ブレーカ(6)負荷側回路(9)の電源線Ｐと接地線間および中性線Ｎと接地線間の洩れ電流回路を検出の際には、手動で分電盤(A)のリミッター(1)を開路状態にした後、一次送り回路(2)のＤＣ操作装置(3)で主幹ブレーカ(5)を開路状態にし、ＤＣ(4)で放電スイッチ(HS)を投入の後開放して中性相幹線Ｎの帯電を放電状態にし、操作釦(H)で中性相幹線Ｎ側切換スイッチ(BE)を投入し、中性相幹線Ｎにネオン電流制限抵抗と回路表示(NL)手段のネオン電流制限抵抗を印加することによって、分岐漏電ブレーカ(6)の回路表示Ｎ側(8N)を点灯させ、洩れ電流回路を手動で開路とし、回路表示Ｎ側(8N)消灯を確認後に、洩れ電流回路測定手段によってICタグ付接地極コンセント(10)に接続の３線式測定対象体(X2L)された洩れ電流箇所を測定の際には、手動で分電盤(A)のリミッター(1)を開路状態にした後、一次送り回路(2)のＤＣ操作装置(3)で主幹ブレーカ(5)を開路状態にし、ＤＣ(4)で放電スイッチ(HS)を投入の後開放して中性相幹線Ｎの帯電を放電状態にし、操作釦(H)で中性相幹線Ｎ側切換スイッチ(BE)を投入し、中性相幹線Ｎにネオン電流制限抵抗と回路表示(NL)手段のネオン電流制限抵抗を印加することによって、分岐漏電ブレーカ(6)の回路表示Ｎ側(8N)を点灯させ、分電盤(A)の接地極線(B)に設けられた測定用端子(C)と測定機器(Z)で測定することを特徴とした洩れ電流回路と洩れ電流箇所の測定装置。
【手続補正２】
【補正対象書類名】明細書
【補正対象項目名】全文
【補正方法】変更
【補正の内容】
【考案の詳細な説明】
【技術分野】
【０００１】
本考案は、ＴＴ接地方式で供給されている、分電盤(A)の分岐漏電ブレーカ(6)負荷側回路(9)の中性線Ｎと接地線間および負荷側回路(9)の電源線Ｐと接地線間の洩れ電流に係わる回路と測定に関する。
【背景技術】
【０００２】
従来、例えば「電気用品安全法における電気用品の技術上の基準を定める省令の取扱い細則」や「ＩＥＣ６０３３５−１：１９９４の国際標準規格」では、電気用品(測定対象体)に接続される２本の交流電源線(以下、「電源線」ともいう)のうちいずれか一本と電気用品の外装(露出充電部)との間の漏れ電流を測定する旨が指示されている、この種の漏れ電流を測定可能な漏れ電流測定装置がある。(例えば、特許文献１参照)
【先行技術文献】
【特許文献】
【０００３】
【特許文献１】特開２０１０‐９１５８１公報
【非特許文献】
【０００４】
【非特許文献１】洩れ電流記録装置：キュリークロガー：協立電気計器(株)
【非特許文献２】音響発光式検電器：ＡＣ４０Ｖ以下：ＨＡＳＥＧＡＷＡ
【考案の概要】
【考案が解決しようとする課題】
【０００５】
ＴＴ接地方式で供給されている分電盤(A)の分岐漏電ブレーカ(6)負荷側回路(9)とICタグ付接地極コンセント(10)に接続の２線式機器電源コード及び水中ポンプと非接地機器において、分岐漏電ブレーカ(6)は、負荷側回路(9)の電源線Ｐと接地線間の洩れ電流は検出遮断するが、水中ポンプと非接地機器等の電源線Ｐ側のスイッチは保持しない機器がある、また、分電盤(A)の分岐漏電ブレーカ(6)負荷側(9)の回路及び機器と電源コードにおいて、破損による中性線Ｎと接地線間の洩れ電流状態は、分岐漏電ブレーカ(6)においても検出しない(公知)課題があった。
【０００６】
洩れ電流回路の測定は、ＴＴ接地方式で供給されている分電盤(A)のリミッター(1)と一次送り回路(2)とＤＣ操作装置(3)で開放の主幹ブレーカ(5)と分岐漏電ブレーカ(6)の回路表示Ｌ側(7L)と回路表示Ｎ側(8N)と、分電盤(A)の接地極線(B)に設けられた測定用端子(C)で構成し、操作釦(H)で中性相幹線Ｎ側切換スイッチ(BE)を投入し、中性相幹線Ｎに回路表示(NL)とネオン電流制限を印加する印加手段とし、分岐漏電ブレーカ(6)の回路表示Ｎ側(8N)は点灯し、分岐漏電ブレーカ(6)負荷側回路(9)の中性線Ｎと接地線間および負荷側回路(9)の電源線Ｐと接地線間の洩れ電流回路測定を、分電盤(A)の接地極線(B)に設けた測定用端子(C)において、測定機器(Z)を用いた洩れ電流回路を測定する装置で提供されている。
【０００７】
しかしながら通常上記洩れ電流回路の測定は、ＴＴ接地方式で供給されている分電盤(A)の分岐漏電ブレーカ(9)が遮断状態を確認後に、他の回路に接続された機器等の保護対策を行ない、その後に操作釦(H)で主幹ブレーカを開放と分電盤(A)の接地極線(B)に設けた測定用端子(C)において、測定機器(Z)を用いた洩れ電流回路を測定する構成と成っているが、分岐漏電ブレーカ(6)負荷側回路(9)の中性線Ｎと接地線間および負荷側回路(9)の電源線Ｐと接地線間の洩れ電流回路の測定と、分岐漏電ブレーカ(6)負荷側回路(9)のICタグ付接地極コンセント(10)に接続の２線式機器と電源コード及び水中ポンプ等直接に接地状態の洩れ電流測定は、分電盤(A)の接地極線(B)に設けた測定用端子(C)においては、測定機器(Z)を用いた洩れ電流状態を測定出来ないという課題がある。
【課題を解決するための手段】
【０００８】
洩れ電流回路の検出において、ＴＴ接地方式で供給されている分電盤(A)の分岐漏電ブレーカ(6)と電源Ｌ側のネオン電流制限抵抗と回路表示(6NL)手段と、負荷側回路(9)とICタグ付接地極コンセント(10)に接続の２線式測定対象体(X1N)と非接触型の測定器(Y)を備え、分岐漏電ブレーカ(6)負荷側回路(9)の電源線Ｐと接地線間および中性線Ｎと接地線間の洩れ電流回路を検出の際には、分岐漏電ブレーカ(6)負荷側回路(9)の電源線Ｐと接地線間の洩れ電流が所定値を越えて流れたとき検出手段で遮断し、電源Ｌ側のネオン電流制限抵抗と回路表示(6NL)手段を用いて、分岐漏電ブレーカ(6)負荷側回路(9)の中性極線と接地線間および負荷側回路(9)の電源線Ｐと接地線間の洩れ電流を回路表示(6NL)点灯させ、洩れ電流回路を表示し開放確認を備えた洩れ電流回路の検出装置。
【０００９】
洩れ電流箇所に係わる検出において、ＴＴ接地方式で供給されている分電盤(A)の分岐漏電ブレーカ(6)と電源Ｌ側のネオン電流制限抵抗と回路表示(6NL)手段と、分岐漏電ブレーカ(6)負荷側回路(9)とICタグ付接地極コンセント(10)に接続された２線式測定対象体(X1N)の洩れ電流箇所を検出の際には、分岐漏電ブレーカ(6)を手動で遮断し、電源Ｌ側のネオン電流制限抵抗と回路表示(6NL)手段を用いて、分岐漏電ブレーカ(6)負荷側回路(9)に接続の中性線Ｎと接地線間および電源線Ｐと接地線間の洩れ電流状態を回路表示(6NL)点灯させる、点灯確認と非接触型の測定器(Y)を備えた洩れ電流箇所の検出装置。
【００１０】
洩れ電流箇所に係わる測定において、ＴＴ接地方式で供給されている分電盤(A)の分岐漏電ブレーカ(6)と電源Ｌ側のネオン電流制限抵抗と回路表示(6NL)手段と、分岐漏電ブレーカ(6)負荷側回路(9)とICタグ付接地極コンセント(10)に接続された３線式測定対象体(X2L)の洩れ電流箇所を測定の際には、分岐漏電ブレーカ(6)を手動で遮断し、電源Ｌ側のネオン電流制限抵抗と回路表示(6NL)手段を用いて、分岐漏電ブレーカ(6)負荷側回路(9)に接続の中性線Ｎと接地線間および電源線Ｐと接地線間の洩れ電流状態を回路表示(6NL)点灯させ、分電盤(A)の接地極線(B)に設けた測定用端子(C)と測定機器(Z)を備え、洩れ電流を測定し確認出来るので、洩れ電流状態に係わる測定と回路の改修依頼が行ないやすくなる。
【００１１】
洩れ電流回路に係わる検出において、ＴＴ接地方式で供給されている分電盤(A)の手動開路リミッター(1)と、一次送り回路(2)とＤＣ操作装置(3)で開路が可能な主幹ブレーカ(5)とネオン電流制限抵抗と回路表示(NL)手段と、分岐漏電ブレーカ(6)の回路表示Ｌ側(7L)と回路表示Ｎ側(8N)と、分岐漏電ブレーカ(6)負荷側回路(9)とICタグ付接地極コンセント(10)に接続の３線式測定対象体(X2L)と分電盤(A)の接地極線(B)に設けられた測定用端子(C)と測定機器(Z)を備え、分岐漏電ブレーカ(6)負荷側回路(9)の電源線Ｐと接地線間および中性線Ｎと接地線間の洩れ電流回路を検出の際には、手動で分電盤(A)のリミッター(1)を開路状態にした後、一次送り回路(2)のＤＣ操作装置(3)で主幹ブレーカ(5)を開路状態にし、ＤＣ(4)で放電スイッチ(HS)を投入の後開放して中性相幹線Ｎの帯電を放電状態にし、操作釦(H)で中性相幹線Ｎ側切換スイッチ(BE)を投入し、中性相幹線Ｎにネオン電流制限抵抗と回路表示(NL)手段のネオン電流制限抵抗を印加することによって、分岐漏電ブレーカ(6)の回路表示Ｎ側(8N)を点灯させ、洩れ電流回路を手動で開路とし、回路表示Ｎ側(8N)消灯確認を備えた洩れ電流回路の検出装置。
【００１２】
洩れ電流箇所に係わる測定において、ＴＴ接地方式で供給されている分電盤(A)の手動開路リミッター(1)と、一次送り回路(2)とＤＣ操作装置(3)で開路の主幹ブレーカ(5)とネオン電流制限抵抗と回路表示(NL)手段と、分岐漏電ブレーカ(6)の回路表示Ｌ側(7L)と回路表示Ｎ側(8N)と、分岐漏電ブレーカ(6)負荷側回路(9)とICタグ付接地極コンセント(10)に接続の３線式測定対象体(X2L)と分電盤(A)の接地極線(B)に設けられた測定用端子(C)と測定機器(Z)を備え、洩れ電流回路測定手段によってICタグ付接地極コンセント(10)に接続された３線式測定対象体(X2L)の洩れ電流箇所を測定の際には、手動で分電盤(A)のリミッター(1)を開路状態にした後、一次送り回路(2)のＤＣ操作装置(3)で主幹ブレーカ(5)を開路状態にし、ＤＣ(4)で放電スイッチ(HS)を投入の後開放して中性相幹線Ｎの帯電を放電状態にし、操作釦(H)で中性相幹線Ｎ側切換スイッチ(BE)を投入し、中性相幹線Ｎにネオン電流制限抵抗と回路表示(NL)手段のネオン電流制限抵抗を印加することによって、分岐漏電ブレーカ(6)の回路表示Ｎ側(8N)を点灯させ、分電盤(A)の接地極線(B)に設けられた測定用端子(C)と測定機器(Z)で測定する洩れ電流回路と洩れ電流箇所の測定装置。
【考案の効果】
【００１３】
洩れ電流回路の検出において、ＴＴ接地方式で供給されている分電盤(A)の分岐漏電ブレーカ(6)と電源Ｌ側のネオン電流制限抵抗と回路表示(6NL)手段と、負荷側回路(9)とICタグ付接地極コンセント(10)に接続の２線式測定対象体(X1N)と非接触型の測定器(Y)を備え、分岐漏電ブレーカ(6)負荷側回路(9)の電源線Ｐと接地線間および中性線Ｎと接地線間の洩れ電流回路を検出の際には、分岐漏電ブレーカ(6)負荷側回路(9)の電源線Ｐと接地線間の洩れ電流が所定値を越えて流れたとき検出手段で遮断し、電源Ｌ側のネオン電流制限抵抗と回路表示(6NL)手段を用いて、分岐漏電ブレーカ(6)負荷側回路(9)の中性極線と接地線間および負荷側回路(9)の電源線Ｐと接地線間の洩れ電流を回路表示(6NL)点灯させ、洩れ電流回路を表示し開放確認を備えた洩れ電流回路の検出装置は、洩れ電流回路の改修依頼が行ないやすくなる。
【００１４】
洩れ電流箇所に係わる検出において、ＴＴ接地方式で供給されている分電盤(A)の分岐漏電ブレーカ(6)と電源Ｌ側のネオン電流制限抵抗と回路表示(6NL)手段と、分岐漏電ブレーカ(6)負荷側回路(9)とICタグ付接地極コンセント(10)に接続された２線式測定対象体(X1N)の洩れ電流箇所を検出の際には、分岐漏電ブレーカ(6)を手動で遮断し、電源Ｌ側のネオン電流制限抵抗と回路表示(6NL)手段を用いて、分岐漏電ブレーカ(6)負荷側回路(9)に接続の中性線Ｎと接地線間および電源線Ｐと接地線間の洩れ電流状態を回路表示(6NL)点灯させる、点灯確認と非接触型の測定器(Y)を備えた洩れ電流箇所の検出装置は、洩れ電流の箇所を非接触型の測定器(Y)の検出表示とブザー確認手段を備え点検作業の安全を図る事が出来る、実用性に優れたものである。
【００１５】
洩れ電流箇所に係わる検出において、ＴＴ接地方式で供給されている分電盤(A)の分岐漏電ブレーカ(6)と電源Ｌ側のネオン電流制限抵抗と回路表示(6NL)手段と、分岐漏電ブレーカ(6)負荷側回路(9)とICタグ付接地極コンセント(10)に接続された３線式測定対象体(X2L)の洩れ電流箇所を測定の際には、分岐漏電ブレーカ(6)を手動で遮断し、電源Ｌ側のネオン電流制限抵抗と回路表示(6NL)手段を用いて、分岐漏電ブレーカ(6)負荷側回路(9)に接続の中性線Ｎと接地線間および電源線Ｐと接地線間の洩れ電流状態を回路表示(6NL)点灯させ、分電盤(A)の接地極線(B)に設けた測定用端子(C)と測定機器(Z)を備え、洩れ電流を測定し確認出来るので、洩れ電流状態に係わる測定と回路の改修依頼が行ないやすくなる。
【００１６】
洩れ電流回路に係わる検出において、ＴＴ接地方式で供給されている分電盤(A)の手動開路リミッター(1)と、一次送り回路(2)とＤＣ操作装置(3)で開路が可能な主幹ブレーカ(5)とネオン電流制限抵抗と回路表示(NL)手段と、分岐漏電ブレーカ(6)の回路表示Ｌ側(7L)と回路表示Ｎ側(8N)と、分岐漏電ブレーカ(6)負荷側回路(9)とICタグ付接地極コンセント(10)に接続の３線式測定対象体(X2L)と分電盤(A)の接地極線(B)に設けられた測定用端子(C)と測定機器(Z)を備え、分岐漏電ブレーカ(6)負荷側回路(9)の電源線Ｐと接地線間および中性線Ｎと接地線間の洩れ電流回路を検出の際には、手動で分電盤(A)のリミッター(1)を開路状態にした後、一次送り回路(2)のＤＣ操作装置(3)で主幹ブレーカ(5)を開路状態にし、ＤＣ(4)で放電スイッチ(HS)を投入の後開放して中性相幹線Ｎの帯電を放電状態にし、操作釦(H)で中性相幹線Ｎ側切換スイッチ(BE)を投入し、中性相幹線Ｎにネオン電流制限抵抗と回路表示(NL)手段のネオン電流制限抵抗を印加することによって、分岐漏電ブレーカ(6)の回路表示Ｎ側(8N)を点灯させ、洩れ電流回路を手動で開路とし、回路表示Ｎ側(8N)消灯確認を備えた洩れ電流回路の検出装置は、洩れ電流回路の改修依頼が行ないやすくなる。
【００１７】
洩れ電流箇所に係わる測定において、ＴＴ接地方式で供給されている分電盤(A)の手動開路リミッター(1)と、一次送り回路(2)とＤＣ操作装置(3)で開路の主幹ブレーカ(5)とネオン電流制限抵抗と回路表示(NL)手段と、分岐漏電ブレーカ(6)の回路表示Ｌ側(7L)と回路表示Ｎ側(8N)と、分岐漏電ブレーカ(6)負荷側回路(9)とICタグ付接地極コンセント(10)に接続の３線式測定対象体(X2L)と分電盤(A)の接地極線(B)に設けられた測定用端子(C)と測定機器(Z)を備え、洩れ電流回路測定手段によってICタグ付接地極コンセント(10)に接続された３線式測定対象体(X2L)の洩れ電流箇所を測定の際には、手動で分電盤(A)のリミッター(1)を開路状態にした後、一次送り回路(2)のＤＣ操作装置(3)で主幹ブレーカ(5)を開路状態にし、ＤＣ(4)で放電スイッチ(HS)を投入の後開放して中性相幹線Ｎの帯電を放電状態にし、操作釦(H)で中性相幹線Ｎ側切換スイッチ(BE)を投入し、中性相幹線Ｎにネオン電流制限抵抗と回路表示(NL)手段のネオン電流制限抵抗を印加することによって、分岐漏電ブレーカ(6)の回路表示Ｎ側(8N)を点灯させ、分電盤(A)の接地極線(B)に設けられた測定用端子(C)と測定機器(Z)で測定する洩れ電流回路と洩れ電流箇所の測定装置は、洩れ電流回路及び所有者登録「製品が古くなると部品等が劣化(経年劣化)」に係わる測定と修復の依頼がし易くなる。
【図面の簡単な説明】
【００１８】
【図１】本考案の２線式測定対象体(Ｘ１Ｎ)構成を示したブロック系統図である。
【図２】本考案の３線式測定対象体(Ｘ２Ｌ)構成を示したブロック系統図である。
【考案を実施するための形態】
【００１９】
洩れ電流回路の検出において、ＴＴ接地方式で供給されている分電盤(A)の分岐漏電ブレーカ(6)と電源Ｌ側のネオン電流制限抵抗と回路表示(6NL)手段と、負荷側回路(9)とICタグ付接地極コンセント(10)に接続の２線式測定対象体(X1N)と非接触型の測定器(Y)を備え、分岐漏電ブレーカ(6)負荷側回路(9)の電源線Ｐと接地線間および中性線Ｎと接地線間の洩れ電流回路を検出の際には、分岐漏電ブレーカ(6)負荷側回路(9)の電源線Ｐと接地線間の洩れ電流が所定値を越えて流れたとき検出手段で遮断し、電源Ｌ側のネオン電流制限抵抗と回路表示(6NL)手段を用いて、分岐漏電ブレーカ(6)負荷側回路(9)の中性極線と接地線間および負荷側回路(9)の電源線Ｐと接地線間の洩れ電流を回路表示(6NL)点灯させ、洩れ電流回路を表示し開放確認を備えた洩れ電流回路の検出装置は、洩れ電流回路に係わる修復の依頼がし易くなる。
【００２０】
洩れ電流箇所に係わる検出において、ＴＴ接地方式で供給されている分電盤(A)の分岐漏電ブレーカ(6)と電源Ｌ側のネオン電流制限抵抗と回路表示(6NL)手段と、分岐漏電ブレーカ(6)負荷側回路(9)とICタグ付接地極コンセント(10)に接続された２線式測定対象体(X1N)の洩れ電流箇所を検出の際には、分岐漏電ブレーカ(6)を手動で遮断し、電源Ｌ側のネオン電流制限抵抗と回路表示(6NL)手段を用いて、分岐漏電ブレーカ(6)負荷側回路(9)に接続の中性線Ｎと接地線間および電源線Ｐと接地線間の洩れ電流状態を回路表示(6NL)点灯させる、点灯確認と非接触型の測定器(Y)を備えた洩れ電流箇所の検出装置は、非接触型の測定器(Y)の検出表示とブザー確認手段とを備え点検作業の安全を図る事が出来る、実用性に優れたものである。
【００２１】
洩れ電流箇所に係わる測定において、ＴＴ接地方式で供給されている分電盤(A)の分岐漏電ブレーカ(6)と電源Ｌ側のネオン電流制限抵抗と回路表示(6NL)手段と、分岐漏電ブレーカ(6)負荷側回路(9)とICタグ付接地極コンセント(10)に接続された３線式測定対象体(X2L)の洩れ電流箇所を測定の際には、分岐漏電ブレーカ(6)を手動で遮断し、電源Ｌ側のネオン電流制限抵抗と回路表示(6NL)手段を用いて、分岐漏電ブレーカ(6)負荷側回路(9)に接続の中性線Ｎと接地線間および電源線Ｐと接地線間の洩れ電流状態を回路表示(6NL)点灯させ、分電盤(A)の接地極線(B)に設けた測定用端子(C)と測定機器(Z)を備え、洩れ電流を測定し確認出来るので、洩れ電流状態に係わる測定と回路の改修依頼が行ないやすくなる。
【００２２】
洩れ電流回路に係わる検出において、ＴＴ接地方式で供給されている分電盤(A)の手動開路リミッター(1)と、一次送り回路(2)とＤＣ操作装置(3)で開路が可能な主幹ブレーカ(5)とネオン電流制限抵抗と回路表示(NL)手段と、分岐漏電ブレーカ(6)の回路表示Ｌ側(7L)と回路表示Ｎ側(8N)と、分岐漏電ブレーカ(6)負荷側回路(9)とICタグ付接地極コンセント(10)に接続の３線式測定対象体(X2L)と分電盤(A)の接地極線(B)に設けられた測定用端子(C)と測定機器(Z)を備え、分岐漏電ブレーカ(6)負荷側回路(9)の電源線Ｐと接地線間および中性線Ｎと接地線間の洩れ電流回路を検出の際には、手動で分電盤(A)のリミッター(1)を開路状態にした後、一次送り回路(2)のＤＣ操作装置(3)で主幹ブレーカ(5)を開路状態にし、ＤＣ(4)で放電スイッチ(HS)を投入の後開放して中性相幹線Ｎの帯電を放電状態にし、操作釦(H)で中性相幹線Ｎ側切換スイッチ(BE)を投入し、中性相幹線Ｎにネオン電流制限抵抗と回路表示(NL)手段のネオン電流制限抵抗を印加することによって、分岐漏電ブレーカ(6)の回路表示Ｎ側(8N)を点灯させ、洩れ電流回路を手動で開路とし、回路表示Ｎ側(8N)消灯確認を備えた洩れ電流回路の検出装置は、回路の改修依頼が行ないやすくなる。
【００２３】
洩れ電流箇所に係わる測定において、ＴＴ接地方式で供給されている分電盤(A)の手動開路リミッター(1)と、一次送り回路(2)とＤＣ操作装置(3)で開路の主幹ブレーカ(5)とネオン電流制限抵抗と回路表示(NL)手段と、分岐漏電ブレーカ(6)の回路表示Ｌ側(7L)と回路表示Ｎ側(8N)と、分岐漏電ブレーカ(6)負荷側回路(9)とICタグ付接地極コンセント(10)に接続の３線式測定対象体(X2L)と分電盤(A)の接地極線(B)に設けられた測定用端子(C)と測定機器(Z)を備え、洩れ電流回路を測定手段によってICタグ付接地極コンセント(10)に接続された３線式測定対象体(X2L)の洩れ電流箇所を測定の際には、手動で分電盤(A)のリミッター(1)を開路状態にした後、一次送り回路(2)のＤＣ操作装置(3)で主幹ブレーカ(5)を開路状態にし、ＤＣ(4)で放電スイッチ(HS)を投入の後開放して中性相幹線Ｎの帯電を放電状態にし、操作釦(H)で中性相幹線Ｎ側切換スイッチ(BE)を投入し、中性相幹線Ｎにネオン電流制限抵抗と回路表示(NL)手段のネオン電流制限抵抗を印加することによって、分岐漏電ブレーカ(6)の回路表示Ｎ側(8N)を点灯させ、分電盤(A)の接地極線(B)に設けられた測定用端子(C)と測定機器(Z)で測定する洩れ電流回路と洩れ電流箇所の測定装置は、洩れ電流回路及び所有者登録「製品が古くなると部品等が劣化(経年劣化)」に係わる測定と修復の依頼がし易くなる。
【符号の説明】
【００２４】
６０  高圧側配電線
６１  変圧器
６２  変圧器の２次側巻線
６３  中性線
６４  中性側接地線
６５  低圧側幹線
６６  電力量計
Ａ  分電盤(A)
Ｂ  接地極線(B)
Ｃ  測定用端子(C)
Ｚ  測定機器(Z)
１  リミッター(1)
２  一次送り回路(2)
３  ＤＣ操作装置(3)
４  ＤＣ開放装置(4)
５  主幹ブレーカ(5)
HS  放電スイッチ(HS)
Ｎ  中性相幹線Ｎ
Ｈ  操作釦(H)
BE  中性相幹線Ｎ側切換スイッチ(BE)
CE  電圧Ｌ側切換スイッチ(CE)
DE  電圧Ｌ側切換スイッチ(DE)
NL  ネオン電流制限と回路表示(NL)
６  分岐漏電ブレーカ(6)
７  回路表示Ｌ側(7L)
８  回路表示Ｎ側(8N)
９  負荷側回路(9)
１０  ICタグ付接地極コンセント(10)
１１  ２線式測定対象体(X1N)
１２  ３線式測定対象体(X2L)
６ＮＬ  電源Ｌ側のネオン電流制限と回路表示(6NL)
Ｙ    非接触型の測定器(Y)
【手続補正３】
【補正対象書類名】図面
【補正対象項目名】全図
【補正方法】変更
【補正の内容】
【図１】
0003169611.tif 000005
【図２】
0003169611.tif 000006